(57)【要約】      （修正有）【課題】構造が簡単で、部品点数が少なく、容易に低コストで設置できる、建物が揺れ動いても防水カバーがパラペット内へ垂れ下がるのを確実に阻止して、補修作業が不要な屋上用目地カバー装置。【解決手段】防水カバー支持片１０が形成されたほぼクランク状の水切りカバー１１と、水切りカバー１１上を先端部の下方へ突出する側板１２が移動できるように他方の建物に取付けられた目地カバー１７と、この目地カバー１７の側板１２の上部寄りの内側面に取付けられた防水カバー２２と、この防水カバー２２に取付けられた防水カバー支持バー２３とで構成し、さらに防水カバー支持バー２３を常時前記防水カバー１１の両端部の取付け部位を結ぶ線上に位置させるように付勢するワイヤー２８にスプリング２６や重り等の付勢具を用いた防水カバー支持具２４を設けた。【選択図】図２
2010095923.tif 000002
【特許請求の範囲】
【請求項１】
目地部を介して設けられた左右の建物の一方の建物のパラペットの上部に取付けられた目地部側が上方へ突出する防水カバー支持片が形成されたほぼクランク状の水切りカバーと、前記目地部が広くなるように左右の建物が揺れ動いた場合に、前記水切りカバー上を先端部の下方へ突出する側板が移動できるように他方の建物に取付けられた目地カバーと、この目地カバーの側板の上部寄りの内側面に一端部が取付けられ、他端部が前記水切りカバーの防水カバー支持片の上部寄りの部位に取付けられた、前記左右の建物の揺れ動きを吸収できる長さの防水カバーと、この防水カバーの両端部の取付け部位を結ぶ線上で下端部が前記水切りカバーの上面と当接しない、該防水カバー部位に取付けられた複数個の防水カバー支持バーと、この複数個の防水カバー支持バーを常時前記防水カバーの両端部の取付け部位を結ぶ線上に位置させるように付勢するワイヤーにスプリングや重り等の付勢具を用いた少なくとも２個以上の防水カバー支持具とからなることを特徴とする屋上用目地カバー装置。
【発明の詳細な説明】
【技術分野】
【０００１】
本発明は目地部を介して設けられた左右の建物の屋上の目地部を防水可能に覆う屋上用目地カバー装置に関する。
【背景技術】
【０００２】
従来の屋上用目地カバー装置は一方の建物のパラペットに取付けられた水切りカバーと、この水切りカバーの上部を覆う他方の建物に取付けられた先端部が下方へ突出する側板を有する目地カバーと、この目地カバーの側板と前記水切りカバーとの間に浸入する水を阻止するように取付けられた防水カバーと、この防水カバーを前記水切りカバーの上部に支持され、後端部が前記目地カバーの上部寄りの側板の内側に固定された複数個の支持バー、この複数個の支持バーにスライド移動可能に取付けられた複数個の防水シート支持具と、この複数個の防水シート支持具に前記防水カバーの所定位置を固定して防水カバーがパルス波形状となるように固定する複数個のボルト、ナットとで構成されていた。
【０００３】
このため、防水カバーの取付けに複数個の支持バー、複数個の防水シート支持具、この複数個の防水シート支持具に防水シートを固定する複数個のボルト、ナットが必要で、部品点数が多く、取付けに手数がかかり、コスト高になるという欠点があった。
また、複数個の防水シート支持具の数を減らすと左右の建物が揺れ動いて停止した場合、防水シートが水切りカバーと目地カバーの側板よりパラペット内へ垂れ下がり、見苦しくなるとともに、補修作業が必要になるという欠点があった。
【特許文献１】特許第３８１３８７８号
【発明の開示】
【発明が解決しようとする課題】
【０００４】
本発明は以上のような従来の欠点に鑑み、構造が簡単で、部品点数が少なく、容易に低コストで設置することができる、左右の建物が揺れ動いても防水カバーがパラペット内へ垂れ下がるのを確実に阻止して、補修作業が不要な屋上用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の一方の建物のパラペットの上部に取付けられた目地部側が上方へ突出する防水カバー支持片が形成されたほぼクランク状の水切りカバーと、前記目地部が広くなるように左右の建物が揺れ動いた場合に、前記水切りカバー上を先端部の下方へ突出する側板が移動できるように他方の建物に取付けられた目地カバーと、この目地カバーの側板の上部寄りの内側面に一端部が取付けられ、他端部が前記水切りカバーの防水カバー支持片の上部寄りの部位に取付けられた、前記左右の建物の揺れ動きを吸収できる長さの防水カバーと、この防水カバーの両端部の取付け部位を結ぶ線上で下端部が前記水切りカバーの上面と当接しない、該防水カバー部位に取付けられた複数個の防水カバー支持バーと、この複数個の防水カバー支持バーを常時前記防水カバーの両端部の取付け部位を結ぶ線上に位置させるように付勢するワイヤーにスプリングや重り等の付勢具を用いた少なくとも２個以上の防水カバー支持具とで屋上用目地カバー装置を構成している。
【発明の効果】
【０００７】
以上の説明から明らかなように、本発明にあっては次に列挙する効果が得られる。
【０００８】
（１）目地部を介して設けられた左右の建物の一方の建物のパラペットの上部に取付けられた目地部側が上方へ突出する防水カバー支持片が形成されたほぼクランク状の水切りカバーと、前記目地部が広くなるように左右の建物が揺れ動いた場合に、前記水切りカバー上を先端部の下方へ突出する側板が移動できるように他方の建物に取付けられた目地カバーと、この目地カバーの側板の上部寄りの内側面に一端部が取付けられ、他端部が前記水切りカバーの防水カバー支持片の上部寄りの部位に取付けられた、前記左右の建物の揺れ動きを吸収できる長さの防水カバーと、この防水カバーの両端部の取付け部位を結ぶ線上で下端部が前記水切りカバーの上面と当接しない、該防水カバー部位に取付けられた複数個の防水カバー支持バーと、この複数個の防水カバー支持バーを常時前記防水カバーの両端部の取付け部位を結ぶ線上に位置させるように付勢するワイヤーにスプリングや重り等の付勢具を用いた少なくとも２個以上の防水カバー支持具とで構成されているので、防水カバーに複数個の防水カバー支持バーを取付け、この複数個の防水カバー支持バーをワイヤーにスプリングや重り等の付勢具を取付けた少なくとも２個以上の防水カバー支持具で防水カバーの両端部の取付け部とほぼ同一面となるように複数個の防水カバー支持バーを位置させることができる。
したがって、複数個の防水カバー支持バーと、この防水カバー支持バーを防水カバーの両端部の取付け部とほぼ同一面となるように付勢する少なくとも２個以上の防水カバー支持具で防水カバーを支持でき、部品点数が少なく、容易に取付けることができ、コストの低減を図ることができる。
【０００９】
（２）前記（１）によって、複数個の防水カバー支持バーでパルス波形状の吊り下げ状態となる防水カバーは少なくとも２個の防水カバー支持具で、下端部が水切りカバーの上面と当接しない状態を保つことができる。
したがって、地震で左右の建物が揺れ動き、停止しても、防水カバーの下端部が従来のようにパラペット内へ垂れ下がったりする不具合を確実に防止することができる。
【００１０】
（３）前記（１）によって、少なくとも２個の防水カバー支持具で目地カバーの先端部の側板を後端部方向へ引っ張ることができる。
したがって、目地カバーの先端部が風等によってガタつくことなく、安定した状態で支持することができる。
【発明を実施するための最良の形態】
【００１１】
以下、図面に示す本発明を実施するための最良の形態により、本発明を詳細に説明する。
【００１２】
図１ないし図８に示す本発明を実施するための最良の第１の形態において、１は目地部２を介して設けられた一方の建物３の目地部側のパラペット４と、他方の建物５の目地部側の外壁面６との間を覆う本発明の屋上用目地カバー装置で、この屋上用目地カバー装置１は前記一方の建物３の目地部側のパラペット４の上部に複数本のアンカーボルト７等で、所定間隔で固定された複数個の取付け金具８に複数本のビス９で固定された目地部側が上方へ突出する防水カバー支持片１０が形成されたほぼクランク状の水切りカバー１１と、前記目地部２が広くなるように前記建物３、５が揺れ動いた場合に、前記水切りカバー１１上を先端部の下方へ突出する側板１２が移動できるように、他方の建物５の外壁面６に複数本のタッピングビス１３等によって所定間隔で固定された複数個の目地カバー支持金具１４に支持され、外壁面６に形成した凹部１６内に端部を挿入して複数個のビス１５で固定された目地カバー１７と、この目地カバー１７の側板１２の上部寄りの内壁面に一端部が取付けバー部材１８で押えて、複数本のビス１９で固定され、他端部が前記水切りカバー１１の防水カバー支持片１０に取付けバー部材２０で押えて、複数本のビス２１で固定された、前記目地部２の幅寸法に前記側板１２と防水カバー支持片１０との間の寸法をプラスした寸法の防水カバー２２と、この防水カバー２２の両端部の取付け部位を結ぶ線上で下端部が前記水切りカバー１１の上面と当接しない、該水切りカバー１１部位に取付けられた複数個の防水カバー支持バー２３、２３、２３、２３と、この複数個の防水カバー支持バー２３、２３、２３、２３を常時前記防水カバー２２の両端部の取付け部位を結ぶ線上に位置させるように付勢する、少なくとも２個以上の防水カバー支持具２４、２４とで構成されている。
【００１３】
前記少なくとも２個以上の防水カバー支持具２４、２４は図５に示すように、前記防水カバー２２の取付け部位とほぼ同一高さとなる他方の建物５の目地部側の外壁面６に取付けられたガイドローラー２５、２５、２５、２５および２５、２５、２５、２５と、一端部が前記防水カバー支持バー２３、２３、２３、２３にそれぞれ固定され、他端部が前記ガイドローラー２５、２５、２５、２５および２５、２５、２５、２５を通過して、下方の外壁面６に付勢具としてのコイルスプリング２６、２６、２６、２６および２６、２６、２６、２６を介して係止ピン２７、２７、２７、２７および２７、２７、２７、２７で係止されたワイヤー２８、２８、２８、２８および２８、２８、２８、２８とで構成されている。
なお、前記ワイヤー２８、２８、２８、２８および２８、２８、２８、２８は水切りカバー１１の防水カバー支持片１０に形成したワイヤー挿入溝あるいはワイヤー通過孔２９、２９、２９、２９および２９、２９、２９、２９を通過させて取付ける。
【００１４】
上記構成の屋上用目地カバー装置１は地震で目地部２が広くなるように揺れ動いた場合、図６に示すように水切りカバー１１の防水カバー支持片１０と目地カバー１７の側板１２との間隔が狭くなるが、防水カバー２２は少なくとも２個以上の防水カバー支持具２４、２４のコイルスプリング２６、２６、２６、２６および２６、２６、２６、２６によって、防水カバー支持片１０側に引っ張られ、収納状態となってその揺れ動きを吸収し、揺れ動きが停止すると図２に示す元の状態へ自動的に戻る。
【００１５】
目地部２が狭くなるように揺れ動いた場合、図７に示すように水切りカバー１１の防水カバー支持片１０と目地カバー１７の側板１２との間隔が広くなるが、防水カバー２２は少なくとも２個以上の防水カバー支持具２４、２４のコイルスプリング２６、２６、２６、２６および２６、２６、２６、２６が伸長して、防水カバー２２がほぼ水平状態となるように引き出されてその揺れ動きを吸収し、揺れ動きが停止すると図２に示す元の状態へ自動的に戻る。
なお、建物３、５が異なる前後方向へ揺れ動いても、図８に示すように防水カバー２２をコイルスプリング２６、２６、２６、２６および２６、２６、２６、２６を用いた少なくとも２個以上の防水カバー支持具２４、２４で付勢しているので、その揺れ動きも前述と同様にコイルスプリング２６、２６、２６、２６および２６、２６、２６、２６の伸長によって吸収することができる。
[発明を実施するための異なる形態]
【００１６】
次に、図９ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図９ないし図１１に示す本発明を実施するための第２の形態において、前記本発明を実施するための最良の第１の形態と主に異なる点は、コイルスプリングの代わりに付勢具として重り３０、３０、３０、３０および３０、３０、３０、３０を用いた、少なくとも２個以上の防水カバー支持具２４Ａ、２４Ａを用いた点で、このような防水カバー支持具２４Ａ、２４Ａを用いて構成した屋上用目地カバー装置１Ａにしても、前記本発明を実施するための最良の第１の形態と同様な作用効果が得られる。
なお、目地部２が最大に狭くなって重り３０、３０、３０、３０および３０、３０、３０、３０が最上部に位置する部位のわずか上部のワイヤー２８、２８、２８、２８および２８、２８、２８、２８をガイド部材３１、３１、３１、３１および３１、３１、３１、３１を通過させることにより、重り３０、３０、３０、３０および３０、３０、３０、３０の大きな揺れ動きを防止することができる。
【００１８】
図１２ないし図１４に示す本発明を実施するための第３の形態において、前記本発明を実施するための最良の第１の形態と主に異なる点は、山状の目地カバー１７Ａを他方の建物５の目地部２側のパラペット３２に先端部が回動可能に枢支ピン３４を用いた複数個の目地カバー支持金具３３を用いて取付けた点で、このような目地カバー１７Ａを用いて構成した屋上用目地カバー装置１Ｂにしても、前記本発明を実施するための最良の第１の形態と同様な作用効果が得られるとともに、防水カバー支持具２４、２４のコイルスプリング２６、２６、２６、２６および２６、２６、２６、２６が目地カバー１７Ａを防水カバー支持片１０に押し圧して固定する力となる。
【００１９】
図１５ないし図１８に示す本発明を実施するための第４の形態において、前記本発明を実施するための最良の第１の形態と主に異なる点は、ワイヤー２８および２８を水切りカバー１１の防水カバー支持片１０および、該防水カバー支持片１０側の防水カバー支持バー２３、２３、２３に形成したワイヤー通過孔３５、３５、３５および３５、３５、３５を通過させて目地カバー１７の側板１２側の防水カバー支持バー２３に固定した少なくとも２個以上の防水カバー支持具２４Ｂ、２４Ｂを用いた点で、このような防水カバー支持具２４Ｂ、２４Ｂを用いて構成した屋上用目地カバー装置１Ｃにしても、前記本発明を実施するための最良の第１の形態と同様な作用効果が得られるとともに、防水カバー支持具２４Ｂ、２４Ｂの構造が簡単で、さらなるコストの低減を図ることができる。
【００２０】
図１９および図２０に示す本発明を実施するための第５の形態において、前記本発明を実施するための第３の形態と主に異なる点は、左右対称形状の目地カバー１７Ｂの両側板１２、１２の上部寄りの内側面に一端部が取付けられ、他端部が左右の建物３、５のパラペット４、4の水切りカバー１１、１１の防水カバー支持片１０、１０の上部寄りの部位に取付けられた防水カバー２２、２２と、この防水カバー２２、２２の両端部の取付け部位を結ぶ線上で下端部が前記水切りカバー１１、１１の上面と当接しない、該防水カバー２２、２２部位に取付けられた複数個の防水カバー支持バー２３、２3と、この複数個の防水カバー支持バー２３、２3を常時前記防水カバー２２、２２の両端部の取付け部位を結ぶ線上に位置させるようにワイヤー２８、２8に付勢具としてのスプリング２６、２６を用いた点で、このように構成した屋上用目地カバー装置１Ｄにしても、前記本発明を実施するための第３の形態と同様な作用効果が得られる。
なお、付勢具としてのスプリング２６、２６で引っ張る左右のワイヤー２８、２8で目地カバー１７Ｂの中央部を目地部２の中央部に常時位置させることができるが、必要に応じて、目地カバー１７Ｂが左右方向に揺れ動いた場合に目地カバー１７Ｂの中央部を目地部２の中央部に自動的に位置させる付勢機構を用いてもよい。
【００２１】
なお、前記本発明の実施の形態では付勢具として、コイルスプリングや重りを用いるものについて説明したが、本発明はこれに限らず、ワイヤー２８を巻尺のように発条を用いて自動的に巻き込む方向に付勢するものを用いてもよい。
【産業上の利用可能性】
【００２２】
本発明は屋上用目地カバー装置を製造する産業で利用される。
【図面の簡単な説明】
【００２３】
【図１】本発明を実施するための最良の第１の形態の平面図。
【図２】図１の２−２線に沿う断面図。
【図３】本発明を実施するための最良の第１の形態の水切りカバーの取付け状態の説明図。
【図４】本発明を実施するための最良の第１の形態の目地カバーの説明図。
【図５】本発明を実施するための最良の第１の形態の防水カバー支持具の説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための最良の第１の形態の異なる前後方向の動作説明図。
【図９】本発明を実施するための第２の形態の平面図。
【図１０】図９の１０−１０線に沿う断面図。
【図１１】本発明を実施するための第２の形態の防水カバー支持具の説明図。
【図１２】本発明を実施するための第３の形態の平面図。
【図１３】図１２の１３−１３線に沿う断面図。
【図１４】本発明を実施するための第３の形態の目地カバー支持金具の説明図。
【図１５】本発明を実施するための第４の形態の平面図。
【図１６】図１５の１６−１６線に沿う断面図。
【図１７】本発明を実施するための第４の形態の防水カバー支持具の説明図。
【図１８】本発明を実施するための第４の形態の目地部が広くなった状態の説明図。
【図１９】本発明を実施するための第5の形態の平面図。
【図２０】図１９の２０−２０線に沿う断面図。
【符号の説明】
【００２４】
１、１Ａ、１Ｂ、１Ｃ、１Ｄ：屋上用目地カバー装置、
２：目地部、                  ３：一方の建物、
４：パラペット、              ５：他方の建物、    
６：外壁面、                  ７：アンカーボルト、
８：取付け金具、              ９：ビス、
１０：防水カバー支持片、      １１：水切りカバー、
１２：側板、                  １３：タッピングビス、
１４：目地カバー支持金具、    １５：ビス、
１６：凹部、                  １７、１７Ａ、１７Ｂ：目地カバー、
１８：取付けバー部材、        １９： ビス、
２０：取付けバー部材、        ２１：ビス、
２２：防水カバー、            ２３：防水カバー支持バー、
２４、２４Ａ、２４Ｂ：防水カバー支持具、
２５：ガイドローラー、          
２６：付勢具としてのコイルスプリング、
２７：係止ピン、              ２８：ワイヤー、
２９：ワイヤー通過孔、        ３０：付勢具としての重り、
３１：ガイド部材、            ３２：パラペット、
３３：目地カバー支持金具、    ３４：枢支ピン、
３５：ワイヤー通過孔。
【図１】
2010095923.tif 000003
【図２】
2010095923.tif 000004
【図３】
2010095923.tif 000005
【図４】
2010095923.tif 000006
【図５】
2010095923.tif 000007
【図６】
2010095923.tif 000008
【図７】
2010095923.tif 000009
【図８】
2010095923.tif 000010
【図９】
2010095923.tif 000011
【図１０】
2010095923.tif 000012
【図１１】
2010095923.tif 000013
【図１２】
2010095923.tif 000014
【図１３】
2010095923.tif 000015
【図１４】
2010095923.tif 000016
【図１５】
2010095923.tif 000017
【図１６】
2010095923.tif 000018
【図１７】
2010095923.tif 000019
【図１８】
2010095923.tif 000020
【図１９】
2010095923.tif 000021
【図２０】
2010095923.tif 000022